(57)【要約】【課題】光走査装置の画像形成装置への装着及び取り外しを容易にすることができ、光走査装置を精度良く装着部に位置決めでき、光走査装置の筐体の装着部への装着による変形も最小限に抑制できる画像形成装置を提供する。【解決手段】光走査装置２０は、装着部８０の係合部材８３と係合することにより、光走査装置２０を装着部８０のベース面８１ｆに向けて付勢する板ばね４０を有し、板ばね４０は、光走査装置の筐体に形成された収容凹部ＨＲ内に設けられている。これにより、装着に際して弾性部材が画像形成装置内の他の構成部品等と干渉するのを防止でき、その結果、光走査装置を装着する際の作業性を向上できる。【選択図】図２
2007206376.tif 000002
【特許請求の範囲】
【請求項１】
像担持体に画像形成のために露光する光走査装置と、前記光走査装置が着脱可能に装着される装着部とを有する画像形成装置であって、
前記光走査装置は、前記装着部と係合することにより、前記光走査装置を前記装着部のベース面に向けて付勢する弾性部材を有し、
前記弾性部材は、前記光走査装置の筐体の内側に設けられている、ことを特徴とする画像形成装置。
【請求項２】
前記光走査装置は、前記ベース面に対向する前記筐体の対向面に前記ベース面に当接する突出部を備え、
前記弾性部材は、前記突出部の略上方でかつ前記対向面の両サイドに配置されている、ことを特徴とする請求項１に記載の画像形成装置。
【請求項３】
前記弾性部材は、前記筐体の装着方向における先端部に形成された収容凹部内に設けられており、
前記装着部は、前記光走査装置が装着される際に前記収容凹部に挿入されて前記弾性部材に係合する係合部材を有する、ことを特徴とする請求項１又は２に記載の画像形成装置。
【請求項４】
前記係合部材は、前記筐体の装着方向を横断する方向において前記収容凹部に嵌合可能に形成されており、前記光走査装置を装着方向に案内する、ことを特徴とする請求項３に記載の画像形成装置。
【請求項５】
前記弾性部材は、板ばねからなることを特徴とする請求項１ないし４のいずれかに記載の画像形成装置。
【請求項６】
前記板ばねは、片持梁状に前記筐体に支持されていることを特徴とする請求項５に記載の画像形成装置。
【請求項７】
前記係合部材は、装着された前記光走査装置が前記装着部から脱落するのを規制する脱落防止用規制部を有する、ことを特徴とする請求項３ないし６のいずれかに記載の画像形成装置。
【請求項８】
前記光走査装置の前記ベース面に対向する対向面には、前記ベース面に形成された嵌合孔に嵌合して前記光走査装置を所定の装着位置に位置決めする位置決めボスが形成されている、ことを特徴とする請求項１ないし７のいずれかに記載の画像形成装置。
【請求項９】
前記位置決めボスは、前記光走査装置の装着方向における後端部の両側に形成されている、ことを特徴とする請求項８に記載の画像形成装置。
【請求項１０】
前記位置決めボスは、前記光走査装置の装着方向における先端部と後端部に形成されている、ことを特徴とする請求項８に記載の画像形成装置。
【請求項１１】
前記光走査装置は、その筐体の先端部に、前記装着部の対向壁部に当接可能に形成されて前記光走査装置の装着時に前記光走査装置の回転を防止し、組立作業を容易にするための複数の突起が形成されていることを特徴とする請求項８ないし１０のいずれかに記載の画像形成装置。
【発明の詳細な説明】
【技術分野】
【０００１】
本発明は、電子写真方式のデジタル複写機やレーザプリンタ等の画像形成装置に関する。
【背景技術】
【０００２】
画像形成装置においては、その内部に、像担持体としての感光体ドラムにレーザ光を照射して画像を形成するための光走査装置を備えている。この光走査装置は、例えば、特許文献１に開示されているように、筐体の内部に光源としての半導体レーザと共に、コリメータレンズ、シリンダレンズ、ポリゴンミラー、走査レンズ等からなる光学系を内蔵しており、半導体レーザの出力したレーザ光は、光学系を通じて感光体ドラム上を走査される。
上記したような光走査装置は、高画質を得る観点から画質画像形成装置の内部の所定の装着部に高い精度で取り付けられると共に、メンテナンスの観点から部品の消耗等によりユニット単位で交換ができるように装着される。
特許文献１では、画像形成装置への光走査装置の着脱を容易化するために、光走査装置に弾性部材(板ばね)を設けて、この板ばねの付勢力を利用して光走査装置を画像装置内の装着部の基準面に押し付けつつ装着(固定)する技術を開示している。
【特許文献１】特開２００３−１３１１５９号
【発明の開示】
【発明が解決しようとする課題】
【０００３】
ところで、特許文献１に開示された技術では、板ばねを支持するための支持部を光走査装置の筐体から突出して設けるため、光走査装置の全長が長くなるという問題があった。
また、特許文献１に開示された技術では、装着部の基準面に接触させる底面データム（突出部）を筐体から突出した支持部の底面に形成するため、底面データムを筐体と共に一体的に樹脂成型した場合に、底面データムの成型上の精度が出しにくいという問題もある。
また、特許文献１に開示された技術は、光走査装置をスクリューねじを用いて固定しないので、この観点からは着脱が容易であるが、装着用の板ばねが光走査装置の筐体から突出しているため、画像形成装置内の狭小な空間を通じて装着部へ向けて光走査装置を挿入する際に板ばねが画像形成装置内の構成部品と干渉しやすく、この点では装着が容易とはいえなかった。加えて、板ばねが露出しているため、組立時の干渉により板ばねの破損の可能性もある。
さらに、特許文献１に開示された技術では、光走査装置の筐体から突出した剛性の低い部分である支持部に板ばねからの力が主に作用するため、筐体に対して曲げモーメントが作用しやすい。筐体に曲げモーメントが作用すると、筐体が変形し、内蔵された光学系に影響を与え、レーザ光の出力位置がずれる可能性もある。特に、支持部が筐体の挿入側の壁から突出して設けられているため、筐体の壁への影響が大きい。
【０００４】
本発明は、上記の事情に鑑みて成されたものであり、その目的とするところは、光走査装置の画像形成装置への装着及び取り外しが容易であり、光走査装置を精度良く装着部に位置決めでき、光走査装置の筐体の装着部への装着による変形も最小限に抑制できる画像形成装置を提供することにある。
【課題を解決するための手段】
【０００５】
本発明に係る画像形成装置は、像担持体に画像形成のために露光する光走査装置と、前記光走査装置が着脱可能に装着される装着部とを有する画像形成装置であって、前記光走査装置は、前記装着部と係合することにより、前記光走査装置を前記装着部のベース面に向けて付勢する弾性部材を有し、前記弾性部材は、前記光走査装置の筐体の内側に設けられている、ことを特徴としている。
この構成によれば、弾性部材が筐体の内側に設けられているため、装着に際して弾性部材が画像形成装置内の他の構成部品等と干渉するのを防止でき、その結果、光走査装置を装着する際の作業性を向上できる。
【０００６】
上記構成において、前記光走査装置は、前記ベース面に対向する前記筐体の対向面に前記ベース面に当接する突出部を備え、前記弾性部材は、前記突出部の略上方でかつ前記対向面の両サイドに配置されている、構成を採用できる。
この構成によれば、弾性部材が筐体の内側にあり、突出部の略上方で対向面の両サイドに配置されているので、筐体に曲げモーメントが作用しにくく、弾性部材の付勢力による筐体の変形を最小限に抑制できる。特に、両サイド
【０００７】
上記構成において、前記弾性部材は、前記筐体の装着方向における先端部に形成された収容凹部内に設けられており、前記装着部は、前記光走査装置が装着される際に前記収容凹部に挿入されて前記弾性部材に係合する係合部材を有する、構成を採用でき、さらに、前記係合部材は、前記筐体の装着方向を横断する方向において前記収容凹部に嵌合可能に形成されており、前記光走査装置を装着方向に案内する、構成を採用できる。
この構成によれば、係合部材が光走査装置を装着方向へ案内するので、装着作業が容易になる。
【０００８】
上記構成において、前記弾性部材は、板ばねからなる、構成を採用できる。
この構成によれば、簡易で安価に弾性部材を実現できる。
【０００９】
上記構成において、前記板ばねは、前記筐体に片持梁状に支持されている、構成を採用できる。
この構成によれば、板ばねを片持梁状に支持することにより、板ばねから筐体に作用する力のうち、筐体をベース面に押し付ける向きの力以外の成分の発生を抑制できる。
【００１０】
上記構成において、前記係合部材は、装着された前記光走査装置が前記装着部から脱落するのを規制する脱落防止用規制部を有する、構成を採用できる。
この構成によれば、脱落防止用規制部により光走査装置の装着部からの脱落を防止できるので、弾性部材の剛性を低くすることができ、装着に必要な力を低減できると共に、筐体に作用する弾性部材の付勢力を低く抑えることができる。
【００１１】
上記構成において、前記光走査装置の前記ベース面に対向する対向面には、前記ベース面に形成された嵌合孔に嵌合して前記光走査装置を所定の装着位置に位置決めする位置決めボスが形成されている、構成を採用でき、又、前記位置決めボスは、前記光走査装置の装着方向における後端部に形成されている、構成を採用できる。前記位置決めボスは、前記光走査装置の装着方向における先端部と後端部に形成することも可能である。
この構成によれば、光走査装置をベース面に正確に位置決めできると共に、位置決めボスを光走査装置の装着方向の後端部に形成することにより、装着作業と共に位置決め作業が容易にできる。
【００１２】
上記構成において、前記光走査装置は、その筐体の先端部に、前記装着部の対向壁部に当接可能に形成されて、前記光走査装置の装着時に前記光走査装置の回転を防止し、組立作業を容易にするための複数の突起が形成されている、構成を採用できる。
【発明の効果】
【００１３】
本発明によれば、光走査装置の画像形成装置への装着及び取り外しを容易にすることができ、光走査装置を精度良く装着部に位置決めでき、光走査装置の筐体の装着部への装着による変形も最小限に抑制できる。
【発明を実施するための最良の形態】
【００１４】
以下、本発明の最良の実施形態について、添付図面を参照しつつ説明する。
図１ないし図１２は、本発明の一実施形態に係る画像形成装置を示す図であって、図１は本発明が適用される画像形成装置の概略構成の一例を示す図、図２は本発明の一実施形態に係る光走査装置の外観斜視図、図３はカバーを外した状態の光走査装置の斜視図、図４は光走査装置の底面図、図５は光走査装置の収容凹部周辺を部分的に拡大した斜視図、図６はカバーを外した状態の光走査装置における収容凹部周辺を部分的に拡大した斜視図、図７は光走査装置の収容凹部付近の部分断面図、図８は装着部の側面図、図９は装着部の平面図、図１０は装着部へ光走査装置を装着する途中の状態を示す図、図１１は装着部へ光走査装置が装着された状態の部分断面図、及び、図１２は図１１の円内の拡大断面図である。
【００１５】
画像形成装置１０は、図１に示すように、光走査装置２０、光走査装置２０が着脱可能に装着される装着部８０、像担持体としての感光体ドラム１００、現像ユニット１１０、クリーナユニット１２０、転写ユニット１３０、帯電ユニット１４０、中間転写ベルト１５０等から構成され、光走査装置２０は、帯電ユニット１４０と現像ユニット１１０との間から感光体ドラム１００へビームＢＭを走査しつつ照射する。
【００１６】
この画像形成装置１０の基本的動作について説明すると、感光体ドラム１００が帯電ユニット１４０により一様に帯電され、感光体ドラム１００の帯電面が光走査装置２０によりビームＢＭで走査されて潜像が形成される。そして、感光体ドラム１００に形成された潜像が現像ユニット１１０によりトナーで現像され、感光体ドラム１００上のトナー像が転写ユニット１３０により中間転写ベルト１５０に転写される。そして、中間転写ベルト１５０に転写されずに感光体ドラム１００に残留した未転写残留トナーがクリーナユニット１２０により感光体ドラム１００から除去される。
【００１７】
光走査装置２０は、図２ないし図７に示すように、各種部品を内蔵するためのハウジング部材２１及びハウジング部材２１の上方を覆うカバー３０により外輪郭を画定する筐体が構成されている。尚、ハウジング部材２１及びカバー３０は、樹脂や金属等の材料を用いて成形される。
光走査装置２０は、ハウジング部材２１の上面側には、図３に示すように、半導体レーザ５１、走査用モータ５２、ポリゴンミラー５３、走査レンズ５４、折り返しミラー５５等の部品が設けられている。
半導体レーザ５１からのビームＢＭは、走査用モータ５２で回転されるポリゴンミラー５３で反射し、走査レンズ５４を通過して折り返しミラー５５でカバー３０側に向けて反射する。折り返しミラー５５で反射されたビームＢＭは、図３に示す走査方向ＳＣに走査されながら図１に示したカバー３０に形成された窓３１を通じて感光体ドラム１００へ照射される。
【００１８】
光走査装置２０は、図２に示すように、装着部８０へ装着する装着方向Ｆにおける先端部の両端部に後述する弾性部材としての板ばね４０を収容するための収容凹部ＨＲが形成されている。
収容凹部ＨＲは、図２、図３及び図５〜図７に示すように、ハウジング２１の一部とカバー３０の一部により形成され、光走査装置２０の筐体の外輪郭の内側に形成されている。
また、図５に示すように、収容凹部ＨＲの装着方向Ｆを横切る方向の幅Ｗは、後述する係合部材８３が嵌合可能な幅となるように形成されている。
【００１９】
ハウジング部材２１は、図４に示すように、その底面２１ｂ、すなわち、装着部８０の後述するベース部材８１のベース面８１ｆに対向する対向面に、装着方向Ｆにおける先端側の両端部に底面２１ｂから突出する突出部である円柱状のデータム２５が形成されている。データム２５は、上記した収容凹部ＨＲの略下方に配置されている。
また、装着方向Ｆにおける後端側の両端部にも円柱状のデータム２６が形成されている。これらデータム２５，２６は、それぞれ同じ高さに形成され、先端面が同一平面上に位置するように精度良く加工されており、後述するベース面８１ｆに当接してベース面８１ｆに対する光走査装置２０の位置を正確に規定する。
【００２０】
また、ハウジング部材２１の底面２１ｂには、各データム２５の後方位置において、底面２１ｂから突出する位置決め用ボス２７がそれぞれ形成されている。これら位置決め用ボス２７は、円柱状に形成されており、データム２５，２６よりも高さが高く形成さており、後述するベース部材に形成された嵌合孔８１ｈに嵌合することにより、光走査装置２０を装着方向Ｆにおいてベース部材８１に対して位置決めする。
【００２１】
カバー３０は、図２に示すように、上記したビームＢＭ用の窓３１が装着方向Ｆを横断する方向に形成されているとともに、装着方向Ｆにおける先端部の両側に突起３２が形成される。尚、突起３２の機能については後述する。
【００２２】
板ばね４０は、図６ないし図７に示すように、ハウジング部材２１とカバー３０により画定される収容凹部ＨＲ内に設けられており、金属板等を屈曲させて形成されている。この板ばね４０は、図７に示す斜面からなる係合面４０ｅが後述する係合部材８３と係合するようになっており、係合面４０ｅとは反対側の一端部がハウジング２１にねじ部材３０により固定されて片持梁状に支持されている。このため、図７に示すように、ハウジング２１と板ばね４０との間には隙間ＳＰが形成されており、板ばね４０が後述する係合部材８３と係合して弾性変形した場合にも、板ばね４０が図７に示すハウジング２１の下面２１ｆに当接しないようになっている。
また、板ばね４０は、図７に示すように、データム２５の略上方に配置されている。
【００２３】
装着部８０は、画像形成装置１０内の図示しない所定位置に設けられており、図８及び図９に示すように、ベース部材８１ｆ、係合部材８３等から構成されている。
ベース部材８１は、樹脂又は金属等の材料で形成されており、中央部が光走査装置２０の挿入時の逃げ用に凹んでおり、図９に示すように、上面の外周部が光走査装置２０を設置するためのベース面８１ｆとなっている。
ベース部材８１の装着方向Ｆにおける先端部には、光走査装置２０の先端部と対向する対向壁部８２がベース面８１ｆに対して垂直な方向に一体的に形成されている。この対向壁部８２の光走査装置２０と対向する壁面８２ｗに上記した光走査装置２０のカバーの各突起３２が当接可能となっている。
【００２４】
係合部材８３は、例えば、金属板をプレス加工して形成され、あるいは、樹脂で一体的に形成されており、ベース部材８１の壁面８２ｗに固定されている。この係合部材８３は、上記した板ばね４０の係合面４０eと係合可能な着脱方向Ｆに向かって略水平に伸びる係合部８３ｅを備えている。
この係合部８３eは、図９に示すように、着脱方向Ｆを横切る方向における幅Ｗ１が上記した収容凹部ＨＲの幅Ｗと略等しくなるように形成されており、収容凹部ＨＲに嵌合することにより、光走査装置２０を装着方向Ｆに案内する役割を果たす。
【００２５】
係合部材８３は、その係合部８３eとは反対側の端部は、屈曲されて装着方向Ｆに向かって壁面８２ｗから突出する脱落防止用規制部８３ｓを備える。この脱落防止用規制部８３ｓは、光走査装置２０が衝撃などによりベース面８１ｆから離れる方向に移動したときに、光走査装置２０の筐体(カバー３０)の一部と係合して光走査装置２０の移動を規制する役割を果たす。
【００２６】
次に、光走査装置２０を装着部８０へ装着する動作の一例を図１０ないし図１２を参照して説明する。
先ず、光走査装置２０を装着部１０へ装着するために、図示しない画像形成装置の筐体の外部から装着方向Ｆに向けて挿入していくと、図１０に示すように、光走査装置２０の先端側が係合部材８３に向かって進む。
【００２７】
そして、光走査装置２０の収容凹部ＨＲに係合部材８３が挿入されると、係合部材８３は光走査装置２０を装着方向Ｆに案内しつつ図１１に示すように、板ばね４０と係合する。
このとき、板ばね４０は、その係合面４０ｅが係合部材８３の係合部８３ｅに契合することにより、図１２に示す方向Ｄに向けて弾性変形する。光走査装置２０のデータム２５（の先端面）は、板ばね４０の付勢力により、図１２に示すように、押圧力Ｆｖでベース部材８１のベース面８１ｆに押し付けられる。
【００２８】
また、光走査装置２０が装着部１０の所定位置に達すると、図１１に示すように、ベース部材８１に形成された各嵌合孔８１ｈに対応する位置決め用ボス２７が嵌合する。これにより、光走査装置２０は、ベース部材のベース面８１ｆの所定位置に位置決めされる。
【００２９】
カバー３０の突起３２は、図１２に示すように、対向壁部８２の壁面８２ｗに近接して位置する。このため、前記光走査装置の装着時に前記光走査装置の回転を防止し、組立作業を容易になる。
【００３０】
また、カバー３０の先端部は、図１２に示すように、係合部材８３に一体的に形成された脱落防止用規制部８３ｓと上下方向において当接可能に対向している。これにより、光走査装置２０がベース面８１ｆから浮き上がる方向に衝撃が加わると、カバー３０の先端部が脱落防止用規制部８３ｓに当接し、光走査装置２０の移動が規制される。この脱落防止用規制部８３ｓを設けることにより、板ばね４０の剛性を比較的低く設定しても光走査装置２０がベース部材８１から脱落するのを防止できる。
例えば、光走査装置２０（画像形成装置１０）に振動衝撃（３０〜４０Ｇ）が印加されることを想定すると、光走査装置２０のベース面８１ｆからの浮き上がりを防ぐためには、設計上、板ばね４０の付勢力（押圧力）は、光走査装置２０の自重の約６倍程度必要であるが、脱落防止用規制部８３ｓを設けることにより、板ばね４０の付勢力（押圧力）を装着に際して最適な値に設定することができる。
【００３１】
以上のように、本実施形態によれば、板ばね４０が光走査装置２０の筐体の内側に形成された収容凹部ＨＲに設けられているため、光走査装置２０を装着部１０へ装着する際に、板ばね４０が画像形成装置１０内の他の構成部品等と干渉するのを防止でき、その結果、光走査装置２０を装着する際の作業性を向上できる。
また、板ばね４０が収容凹部ＨＲにあり、データム２５の略上方でかつハウジング２１（筐体）の両サイドに配置されているので、ハウジング２１に曲げモーメントが作用しにくく、ハウジング２１の板ばね４０の付勢力による変形を最小限に抑制でき、ハウジング２１内に設けられた光学部品、特に、折り返しミラー５５への影響を抑えることができる。また、板ばね４０がハウジング２１内に設けられているため、着脱の際に他の構成部品と干渉して破損するのを防止できる。さらに、データム２５を筐体の内側に形成することにより、ハウジング２１を樹脂成型する際に、データム２５について高い成型精度が得られる。
【００３２】
図１３は、本発明の他の実施形態に係る光走査装置の斜視図である。尚、図１３において、上記実施形態と同一構成部分については同一の符号を使用している。
図１３は、上記したカバー３０を取り外した状態の光走査装置を示しており、上記実施形態と異なる点は、収容凹部の構造である。
本実施形態に係るハウジング２１Ａの収容凹部ＨＲＡは、装着方向側に向けて全面的に開口せずに、ハウジング２１Ａの前面壁により覆われており、上記した係合部材８３を挿入できるスリット状の挿入部ＳＬ１が形成されている。これにより、ハウジング２１Ａの収容凹部ＨＲＡ周辺の剛性を向上させることができ、板ばね４０の付勢力によりハウジング２１Ａが変形するのを一層抑制できる。
【００３３】
図１４は、本発明のさらに他の実施形態に係る光走査装置の斜視図である。尚、図１４において、上記実施形態と同一構成部分については同一の符号を使用している。
図１４は、上記したカバー３０を取り外した状態の光走査装置を示しており、上記実施形態と異なる点は、収容凹部の構造である。
本実施形態に係るハウジング２１Ｂの収容凹部ＨＲＢは、装着方向側に向けて全面的に開口しているが、その周囲壁がすべてハウジング２１Ｂで形成されている。すなわち、上部側の壁が上記したカバー３０で形成されていない。収容凹部ＨＲＢをハウジング２１Ｂだけで形成することにより、収容凹部ＨＲＢ周辺の剛性を向上させることができる。
【００３４】
上記実施形態では、図４に示したように、位置決め用ボス２７をハウジング２１の底面２１ｂの装着方向Ｆにおける後端部であって、装着方向Ｆを横切る方向における両側に形成したが、これに限定されるわけではない。
例えば、図１５に示すように、ハウジング２１の底面２１ｂの装着方向Ｆにおいて、先端部と後端部に位置決め用ボス２７Ａを形成してもよい。この場合は、先端部と後端部の位置決め用ボス２７Ａの間隔を長くとることができるので、より正確な位置決めが可能となる。尚、ベース部材８１には、位置決め用ボス２７Ａに対応する位置に嵌合孔が形成されているものとする。
【００３５】
上記実施形態では、弾性部材として板ばねを例に挙げて説明したが、これに限定されるわけではなく、コイルばね等の他のばねや、ゴムや合成樹脂などの他の弾性部材を適用可能である。
【００３６】
上記実施形態では、光走査装置の筐体内に収容凹部を形成した場合について説明したが、これに限定されるわけではなく、弾性部材が筐体の内側にあればよく、収容凹部を形成しない構成を採用することも可能である。
【図面の簡単な説明】
【００３７】
【図１】本発明が適用される画像形成装置の概略構成の一例を示す図である。
【図２】本発明の一実施形態に係る光走査装置の外観斜視図である。
【図３】カバーを外した状態の光走査装置の斜視図である。
【図４】光走査装置の底面図である。
【図５】光走査装置の収容凹部周辺を部分的に拡大した斜視図である。
【図６】カバーを外した状態の光走査装置における収容凹部周辺を部分的に拡大した斜視図である。
【図７】光走査装置の収容凹部付近の部分断面図である。
【図８】装着部の側面図である。
【図９】装着部の平面図である。
【図１０】装着部へ光走査装置を装着する途中の状態を示す図である。
【図１１】装着部へ光走査装置が装着された状態の部分断面図である。
【図１２】図１１の円内の拡大断面図である。
【図１３】本発明の他の実施形態に係るカバーを外した状態の光走査装置の斜視図である。
【図１４】本発明のさらに他の実施形態に係るカバーを外した状態の光走査装置の斜視図である。
【図１５】本発明のさらに他の実施形態に係る光走査装置の底面図である。
【符号の説明】
【００３８】
１０…画像形成装置
２０…光走査装置
２１…ハウジング
２５，２６…データム（突出部）
２７，２７Ａ…位置決め用ボス
３０…カバー
３１…窓
３２…突起
４０…板ばね（弾性部材）
５１…半導体レーザ
５２…走査用モータ
５３…ポリゴンミラー
５４…走査レンズ
５５…折り返しミラー
８０…装着部
８１…ベース部材
８１ｆ…ベース面
８２…対向壁部
８２ｗ…壁面
８３…係合部材
８３ｓ…脱落防止用規制部
１００…感光体ドラム（像担持体）
１１０…現像ユニット
１２０…クリーナユニット
１３０…転写ユニット
１４０…帯電ユニット
１５０…中間転写ベルト
ＨＲ，ＨＲＡ，ＨＲＢ…収容凹部
【図１】
2007206376.tif 000003
【図２】
2007206376.tif 000004
【図３】
2007206376.tif 000005
【図４】
2007206376.tif 000006
【図５】
2007206376.tif 000007
【図６】
2007206376.tif 000008
【図７】
2007206376.tif 000009
【図８】
2007206376.tif 000010
【図９】
2007206376.tif 000011
【図１０】
2007206376.tif 000012
【図１１】
2007206376.tif 000013
【図１２】
2007206376.tif 000014
【図１３】
2007206376.tif 000015
【図１４】
2007206376.tif 000016
【図１５】
2007206376.tif 000017